(57)【要約】【課題】  熱交換器等の構成部品に対する洗浄機能を備えた浴室乾燥機を提供する。【解決手段】  放熱用の熱交換器５１に向けて洗浄用水を吐出するノズル５５を設ける。浴室２に向けてミストを放出するためのノズル５４を回転させて、熱交換器５１へ向けて洗浄用水を吐出可能とする。ルーバー５６を閉止させてノズル５４，５５から洗浄用水を吐出させて熱交換器５１を洗浄し、洗浄後の汚水をドレン受け部５２３に集水し、排水接続口５２４に接続した排水ホース５８を通して浴室内の排水口に排水させる。【選択図】図３
2017211124.tif 000002
【特許請求の範囲】
【請求項１】
浴室内に温風を吹き込むように構成された浴室乾燥機であって、
その構成部品に向けて洗浄用水を吐出するための洗浄ノズルと、
前記洗浄ノズルに洗浄用水を供給するための洗浄用水供給回路と、
を備えていることを特徴とする浴室乾燥機。
【請求項２】
請求項１に記載の浴室乾燥機であって、
前記構成部品に向けて吐出可能な内向き吐出状態と、前記浴室内に向けて吐出可能な外向き吐出状態とに、前記洗浄ノズルの状態を相互に変換可能な変換機構部を備えている、浴室乾燥機。
【請求項３】
請求項１又は請求項２に記載の浴室乾燥機であって、
前記洗浄用水供給回路は、前記洗浄ノズルに供給する洗浄用水に対し洗剤を混入するための洗剤混入部を備えている、浴室乾燥機。
【請求項４】
請求項１〜請求項３のいずれかに記載の浴室乾燥機であって、
前記洗浄ノズルから前記構成部品に向けて吐出された洗浄用水を含む洗浄排水を集水するためのドレン受け部を備えている、浴室乾燥機。
【請求項５】
請求項１〜請求項４のいずれかに記載の浴室乾燥機であって、
前記洗浄ノズルから前記構成部品に向けて吐出された洗浄用水を含む洗浄排水を機外に排水可能な排水接続口を備えている、浴室乾燥機。
【請求項６】
請求項１〜請求項５のいずれかに記載の浴室乾燥機であって、
浴室内に温風を吹き出すための温風吹き出し開口を含む開口を開閉切換可能に閉止するための閉止機構部を備えている、浴室乾燥機。
【請求項７】
請求項１〜請求項６のいずれかに記載の浴室乾燥機であって、
前記構成部品は、熱媒が循環供給される放熱用熱交換器である、浴室乾燥機。
【請求項８】
請求項１〜請求項７のいずれかに記載の浴室乾燥機であって、
前記構成部品は、温風吹き出しの方向を変更するためのルーバーである、浴室乾燥機。
【発明の詳細な説明】
【技術分野】
【０００１】
本発明は、浴室乾燥機に関し、特にその構成部品を洗浄可能とした浴室乾燥機に係る。
【背景技術】
【０００２】
下記の特許文献１では、浴室暖房乾燥機において、浴室洗浄用ノズルを備え、液−液熱交換器に対し熱源機で加熱した湯を熱源として供給し、この熱源で熱交換加熱した湯をノズルから浴室に向けて噴霧することにより浴室の洗浄を行い、その上で、銀イオン発生器で生成した銀イオンを溶け込ませた水を同様に加熱して浴室に噴霧することが提案されている。
【０００３】
又、特許文献２では、浴室洗浄装置と浴室乾燥装置とを一体化し、熱源機から浴室乾燥装置に供給される温風用熱源である湯を浴室洗浄用ノズルにも分岐供給させ、この浴室洗浄用ノズルから浴室に向けて吐出させることが提案されている。
【先行技術文献】
【特許文献】
【０００４】
【特許文献１】特許第４７２８２６３号公報
【特許文献２】特開２００２−８１８６１号公報
【発明の概要】
【発明が解決しようとする課題】
【０００５】
浴室乾燥機として、熱媒の循環供給を受ける放熱用の熱交換器を備え、この熱交換器に対し浴室内の内気を通過させることにより昇温させ、温風として浴室内に吹き出す、という構成のものが通常知られている。そして、放熱用の熱交換器として多数枚のフィンを有するフィンアンドチューブ形式のものが通常用いられている。かかる浴室乾燥機では、浴室という高湿環境に晒されていたり、浴室内における衣類乾燥のために用いられたりしているため、特に前記の熱交換器のフィンや、ルーバー等に湿気・埃の付着やカビの発生・繁殖のおそれが懸念される。しかしながら、熱交換器は内部に設置されているため、外部からの洗浄作業は困難又は不能となる。
【０００６】
本発明は、このような事情に鑑みてなされたものであり、その目的とするところは、熱交換器等の構成部品に対する洗浄機能を備えた浴室乾燥機を提供することにある。
【課題を解決するための手段】
【０００７】
前記目的を達成するために、浴室内に温風を吹き込むように構成された浴室乾燥機を対象にして、その構成部品に向けて洗浄用水を吐出するための洗浄ノズルと、前記洗浄ノズルに洗浄用水を供給するための洗浄用水供給回路とを備えることとした（請求項１）。
【０００８】
この発明の場合、洗浄用水供給回路から供給される洗浄用水を洗浄ノズルから構成部品に向けて吐出することにより、その構成部品を洗浄することが可能となる。これにより、浴室乾燥機に対し、熱交換器等の構成部品に対する洗浄機能を備えることが可能となる。
【０００９】
本発明の浴室乾燥機において、前記構成部品に向けて吐出可能な内向き吐出状態と、前記浴室内に向けて吐出可能な外向き吐出状態とに、前記洗浄ノズルの状態を相互に変換可能な変換機構部を備えるようにすることができる（請求項２）。この場合、変換機構部により、洗浄ノズルを内向き吐出状態にすることで構成部品に対する洗浄が可能となる一方、洗浄ノズルを外向き吐出状態にすることで浴室内にミストを放出したり、洗い場等に洗浄用水を放出して洗浄したりすることが可能となる。
【００１０】
本発明の浴室乾燥機における洗浄用水供給回路として、洗浄ノズルに供給する洗浄用水に対し洗剤を混入するための洗剤混入部を備える構成とすることができる（請求項３）。このようにすることにより、単なる洗浄用水による洗浄のみならず、洗剤が混入された洗浄用水による洗浄も行うことができるようになる。
【００１１】
本発明の浴室乾燥機において、洗浄ノズルから前記構成部品に向けて吐出された洗浄用水を含む洗浄排水を集水するためのドレン受け部を備えるようにすることができる（請求項４）。このようにすることにより、洗浄用水が浴室内に飛散したり落下したりすることを防止して、ドレン受け部に集水させることができるようになる。
【００１２】
本発明の浴室乾燥機において、洗浄ノズルから前記構成部品に向けて吐出された洗浄用水を含む洗浄排水を機外に排水可能な排水接続口を備えるようにすることができる（請求項５）。この場合、排水接続口に例えば排水ホース等を接続することで、浴室内を汚さずに洗浄排水を処理することができるようになる。又、排水接続口を開閉切換可能とすることで、洗浄排水を一時貯留し、後にユーザー等の都合に応じて排水処理等を実施することが可能となる。
【００１３】
本発明の浴室乾燥機において、浴室内に温風を吹き出すための温風吹き出し開口を含む開口を開閉切換可能に閉止するための閉止機構部を備えるようにすることができる（請求項６）。この場合、閉止機構により温風吹き出し開口を閉止することが可能となり、特に壁掛け設置タイプの場合に、洗浄運転の実行時に、温風吹き出し開口から洗浄用水が浴室内に飛散や落下等しないようにすることができる。
【００１４】
本発明の浴室乾燥機における構成部品としては、熱媒が循環供給される放熱用熱交換器とすることができ（請求項７）、あるいは、温風吹き出しの方向を変更するためのルーバーとすることができる（請求項８）。このようにすることにより、特に埃等の汚れが付着し易くカビ発生のおそれのある構成部品を対象とする洗浄を実現させることができる。
【発明の効果】
【００１５】
以上、説明したように、本発明に係る浴室乾燥機によれば、洗浄用水供給回路から供給される洗浄用水を洗浄ノズルから構成部品に向けて吐出することができ、その構成部品を洗浄することができるようになる。これにより、浴室乾燥機に対し、熱交換器等の構成部品に対する洗浄機能を付与することができる。
【図面の簡単な説明】
【００１６】
【図１】本発明の第１実施形態に係る浴室乾燥機を適用した浴室の例を示す斜視図である。
【図２】浴室乾燥機の全体構成について原理的に示した模式図である。
【図３】浴室乾燥機の本体ユニットについて拡大して示す横断面説明図である。
【図４】図４（ａ）はノズルの回転機構部を斜視図状態で示す部分説明図であり、図４（ｂ）はその断面説明図である。
【図５】用水ユニットに係る模式図である。
【図６】洗浄運転時の図３対応図である。
【図７】熱交換器を対象とする物理的洗浄手段の例を斜視図状態で示す説明図である。
【図８】ルーバーを対象とする物理的洗浄手段の例を斜視図状態で示す説明図である。
【図９】第２実施形態に係る浴室乾燥機を構成する本体ユニットについて横断面状態で示す説明図である。
【発明を実施するための形態】
【００１７】
以下、本発明の実施形態を図面に基づいて説明する。
【００１８】
＜第１実施形態＞
図１は、本発明の第１実施形態に係る浴室乾燥機を適用した浴室の例を示す。図示省略の開閉扉により出入り可能とされた浴室２には、床面２１に浴槽３が設置され、浴槽３よりもも上側位置の壁面２２に浴室乾燥機４が設置されている。この浴室乾燥機４は、浴室乾燥機能及びミスト機能に加え、浴室乾燥機４自体の洗浄機能を備えたものである。これらの機能を実現させるために、浴室乾燥機４は、図２に示すように、温風生成用の熱交換器５１を備えた本体ユニット５と、熱源機６から前記熱交換器５１に熱源として循環供給される熱媒（例えば温水）を利用してミスト用水や洗浄用水を生成・準備して供給するための用水ユニット７とを備えている。この第１実施形態は、浴室２内に臨んで設置される前記本体ユニット５として壁掛け設置タイプのものを用いて構成した例を示している。又、前記の洗浄機能は、本実施形態では後述の熱交換器５１を洗浄対象の構成部品とするものである。そして、用水ユニット７が洗浄用水供給回路を構成する。なお、浴室乾燥機４として、前記の浴室乾燥機能、ミスト機能、浴室乾燥機４自体の洗浄機能の他に、浴室暖房機能や換気機能等を備えたものとすることができる。
【００１９】
本体ユニット５（図３も併せて参照）は、ケーシング５２内に放熱用の熱交換器５１及び温風吹き出し用の送風機（循環ファン）５３が配設されると共に、ミスト放出用のノズル５４，５４，…と、熱交換器５１を洗浄対象とする洗浄用のノズル５５，５５，…とを備えている。熱交換器５１は、その上側部分と下側部分とが横断面方向から見て「く」の字状に屈曲した状態で結合された形状に形成されている。本実施形態では、前記の各ノズル５４，５５が洗浄ノズルを構成する。
【００２０】
ケーシング５２には、送風機５３の作動により、浴室２内の内気を取り込むための内気取り入れ開口５２１が上部前面に形成される一方、取り入れた内気を昇温させて浴室２内に温風として吹き出すための温風吹き出し開口５２２が下部前面に形成されている。温風吹き出し開口５２１には、その一端において水平軸回りに回転可能に支持されたルーバー５６と、このルーバー５６を回転作動させる駆動部５７とが設けられている。駆動部５７は、ルーバー５６を開閉作動させて温風吹き出し開口５２２を完全に閉止させた状態と、開状態とに変換させるとともに、開状態においてルーバー５６を首振り傾動させて温風吹き出しの向きを変更させるように、後述のコントローラ７５により駆動制御されるようになっている。前記のルーバー５６と、これを水平軸回りに回転可能に支持する機構と、駆動部５７とによって、閉止機構部が構成されている。なお、図３中の符号５６１，５６２は、閉状態にしたルーバー５６と温風吹き出し開口５２２との境界部を覆って遮水するためのシール部材である。
【００２１】
又、ケーシング５２の最下部にはドレン受け部５２３が形成され、このドレン受け部５２３の最も低位の部位には排水ホース（排水管）５８を接続するための排水接続口５２４が形成されている。
【００２２】
前記の熱交換器５１には用水ユニット７を介して熱源用の熱媒（例えば高温水）が循環供給されるようになっている。そして、前記送風機５３が送風作動されると、内気取り入れ開口５２１から浴室２内の内気を吸い込んで熱交換器５１の上側部分に対し外側から内側に通過させ、再度、内側から熱交換器５１の下側部分を内側から外側に通過させることになる。この通過の間に熱交換器５１から前記の高温水の放熱を受けて所定温度まで昇温されて温風に変換され、この温風が温風吹き出し開口５２２から浴室２内の空間に吹き出されることになる。このような温風吹き出し機能によって浴室乾燥機能が構成されることになる。
【００２３】
ミスト放出用のノズル５４（図２に図４も併せて参照）は、例えば先端が閉止されたノズル配管５４１に所定間隔を隔てて複数個連結されている。そして、後述の用水供給配管７３からノズル配管５４１に供給されるミスト用水又は洗浄用水を各ノズル５４１から吐出可能とされている。ノズル配管５４１は、例えば支持ブラケット５４２により長手軸周りに回転可能に支持されるとともに、駆動部５４３の作動により長手軸Ｘ周りに所定の回転角度範囲α（図３及び図４参照）で回転位置が変換可能となっている。すなわち、各ノズル５４は、浴室２（図３参照）内に向いた第１方向Ｄ１（図４参照）から上方の熱交換器５１に向いた第２方向Ｄ２の間で相互に変換可能となっており、各方向Ｄ１，Ｄ２を中心にする所定の範囲（図３参照）にわたり用水を分散して吐出（噴霧）可能となっている。前記のノズル配管５４１、支持ブラケット５４２及び駆動部５４３によって、変換機構部が構成されている。
【００２４】
各ノズル５４を第１方向Ｄ１に位置変換し高温水を各ノズル５４から浴室２内の空間に放出（噴霧）させるミスト放出状態（外向き吐出状態）にすれば、浴室２内の空間を高温のミストで満たして浴室２内をサウナ化することができるというミスト機能を発揮させることができる。一方、各ノズル５４を第２方向Ｄ２に位置変換し高温水を熱交換器５１に向けて吐出させる洗浄状態（内向き吐出状態）にすれば、熱交換器５１の各フィン間に付着した埃やカビを洗い流すことができるという内部洗浄機能を発揮させることができる。
【００２５】
又、洗浄用の各ノズル５５は、熱交換器５１に向いて吐出可能に設置されており、前記と同様に用水供給配管７３から供給される洗浄用水を熱交換器５１に向けて吐出可能となっている。この各ノズル５５が内部洗浄機能を発揮する専用ノズルであり、前記の洗浄状態にした各ノズル５４と共に、内部洗浄機能が実現される。
【００２６】
熱源機６は、少なくとも温水循環機能を備えたものであり、例えば燃焼熱により熱交換加熱した温水又は不凍液等の熱媒（例えば高温水、以下「高温水」という）を用水ユニット７や本体ユニット５に循環供給するようになっている。このために、高温往き路６１及び低温戻り路６２からなる循環路６３が用水ユニット７における用水加熱のための液−液熱交換器７１や、本体ユニット５の放熱用熱交換器５１まで延びている。この循環路６３による温水循環運転は熱源機６の熱源機コントローラ６４により運転制御される。なお、浴室乾燥機に用いる熱源機としては、温水循環機能に加え、給湯機能、浴槽への注湯機能、追い焚き機能等のいずれかと組み合わせた複合型のものを用いることができるし、あるいは、貯湯タンクを備えたものを用いることができる。
【００２７】
高温往き路６１は、図５にも示すように、用水ユニット７を通過して本体ユニット５の放熱用の熱交換器５１まで延び、その入口に対し開閉切換弁５１１を介して接続されている。そして、熱交換器５１の出口に対し、低温戻り路６２の上流端が接続されている。又、前記高温往き路６１及び低温戻り路６２は用水ユニット７内においてそれぞれ分岐されて、液−液熱交換器７１に対しても高温水を加熱用熱源として循環供給し得るようになっている。
【００２８】
すなわち、高温往き路６１から分岐した高温往き分岐路６１１が開閉切換弁６１２を介して液−液熱交換器７１の一次側入口(熱源側入口)に接続され、この液−液熱交換器７１の一次側出口(熱源側出口)に接続された低温戻り分岐路６２１が低温戻り路６２に対し合流されている。一方、前記液−液熱交換器７１の二次側入口（被加熱側入口）には給水路７２の下流端が接続され、給水路７２からの水が一次側の高温水により熱交換加熱されて所定温度まで昇温された温水が用水供給配管７３を通してノズル５４，５５まで供給可能となっている。給水路７２の上流端側は水道管と接続され、減圧弁による減圧調整後の供給圧が各ノズル５４，５５に作用している。
【００２９】
又、用水供給配管７３の下流側は分岐部７３１で分岐され、一方が開閉切換弁７３２を介して各ノズル５４と連通され、他方が開閉切換弁７３３を介して各ノズル５５と連通されている。ここで、分岐部７３１の上流側位置に洗剤混入部７４を介装させることができる。洗剤混入部７４としては、例えば洗剤タンク７４１と、洗剤タンク７４１内の洗剤の供給・遮断を切換えるための開閉切換弁７４２と、ベンチュリ管７４３とで構成することができる。この場合には、開閉切換弁７４２を開切換すれば、洗剤が洗剤タンク７４１からベンチュリ管７４３に重力作用により落としこまれ、落とし込まれた洗剤が用水供給配管７３内を流れる洗浄用水に吸引されて混入可能となる。なお、洗剤タンク７４１には、洗剤の代わりに、例えば殺菌・消毒用の薬剤を収容させ、この薬剤を洗浄用水に混入させるようにすることができる。
【００３０】
そして、開閉切換弁５１１を開状態にすれば、高温水は放熱用の熱交換器５１に循環供給されることになり（図５の実線の矢印参照）、これにより、温風吹き出しが可能となる。又、開閉切換弁６１２を開状態にすれば、高温水は分岐高温往き路６１１に流れて液−液熱交換器７１に循環供給されることになり（図５の一点鎖線の矢印参照）、これにより、給水路７２からの水に対する液−液熱交換加熱が可能となって、各ノズル５４によるミスト放出又は各ノズル５５による洗浄のための温水供給が可能となる（図５の破線の矢印参照）。なお、開閉切換弁６１２の代わりに、例えば閉止機能付き流量調整弁を適用することができる。
【００３１】
用水ユニット７には、以上説明した開閉切換弁５１１，６１２，７３２，７３３，７４２等や駆動部５７，５４３等の作動制御を行うためのコントローラ７５が備えられ、例えばユーザーによる浴室リモコン７６等のスイッチ操作により制御が開始されるようになっている。前記コントローラ７５は熱源機コントローラ６４（図２参照）と有線又は無線により双方向通信可能に接続され、互いに連係して浴室乾燥機能、ミスト機能、洗浄機能等を実現させるための運転制御を実行するようになっている。
【００３２】
以下、図６を参照しつつ、本体ユニット５内の熱交換器５１を対象とする洗浄運転について説明する。なお、この洗浄運転は、その制御が浴室リモコン７６等のスイッチ操作（例えば洗浄スイッチのＯＮ操作）により開始される他、他の運転制御と連係して開始されるようにすることができる。例えば、温風吹き出しによる浴室暖房運転又は浴室乾燥運転の制御開始前に洗浄運転制御が実行されるようにしたり、あるいは、浴室３の洗浄ユニットが付設されている場合には、その浴室洗浄運転の制御開始前や制御中に同期させて浴室乾燥機の洗浄運転制御が実行されるようにしたり、することができる。又、洗浄運転制御の開始にあたり、事前に例えばリモコン７６による音声案内や表示部へのテキストメッセージによる案内報知により、排水ホース５８の接続をユーザーに促すことができる。この案内ホース５８の排水接続口５２４への接続を検知するためのセンサを設けておき、接続検知の出力のあることを条件として洗浄運転に係る制御を開始するようにすることができる。
【００３３】
洗浄運転は、その前提処理として、駆動部５７を作動制御してルーバー５６を閉状態にし、駆動部５４３を作動制御してノズル配管５４１を回転作動させることで各ノズル５４の回転位置を洗浄状態に変換させる。次いで、開閉切換弁６１２（図５参照）を開状態に切換制御し、熱源機６から液−液熱交換器７１への高温水の循環供給を開始させた上で、開閉弁７３２，７３３を開切換制御する。これにより、給水路７２からの給水が液−液熱交換器７１で高温往き路６１からの高温水により熱交換加熱され、加熱された温水が用水供給配管７３を通して下側の各ノズル５４と、上側の各ノズル５５とに洗浄用水として供給され、各ノズル５４，５５から熱交換器５１に向けて吐出される。この吐出により、熱交換器５１のフィン間の隙間や表面等が洗浄され、洗浄後の汚水（洗浄排水）がドレン受け部５２３に集水される。ドレン受け部５２３に集水された汚水は、排水ホース５８を通して浴室２の洗い場の排水口又は浴槽３の排水口に排水されることになる。以上の浴室乾燥機４において、その構成部品である熱交換器５１に対する洗浄用水を導入するための用水供給配管７３等は、ミスト機能あるいはノズル５４を用いて浴室洗浄を行う浴室洗浄機能を備えた浴室乾燥機であれば、元々、ミスト機能等の用水を導入するための配管として備えているため、浴室乾燥機自体の洗浄機能のために別途新たに備える必要がない。
【００３４】
ここで、洗浄運転の際に、開閉切換弁７４２を開切換制御して洗剤タンク７４１からの洗剤を用水供給配管７３内の温水に混入させることにより、洗剤入りの洗浄用水を用いた洗浄を実施することができる。そして、各ノズル５４，５５からの放出時間を調整したり、間欠的に放出したりすることで泡立たせ、洗剤の泡を熱交換器５１に付着させた後に開閉切換弁７４２を閉切換制御し、その後、一定時間放置した上で温水のみの洗浄用水によりすすぎを行うという洗浄手法を実行することができる。
【００３５】
又、洗浄運転として、熱交換器５１に向けての洗浄用水の吐出による洗浄に加え、ブラシ等で熱交換器５１を擦って汚れを落とすというような直接的かつ物理的な洗浄を付加することができる。例えば、図７に示すように、軸Ｙ周りに自転させたブラシ８１を、熱交換器５１を構成する多数のフィン５１１，５１１，…の端縁が近接して配列されている面５１２に沿って移動させるようにすることができる。具体的には、ブラシ８１と、軸Ｙ周りに自転した状態のブラシ８１を熱交換器５１の面に沿って移動可能に支持するための支持レール８２と、ブラシ８１を回転作動させかつ移動させるための駆動部８３とを備えた物理的洗浄部を設ける。駆動部８３としては、ブラシ８１の回転作動用と、移動用とで個別の駆動モータを備えるようにすることができる。
【００３６】
さらに、洗浄運転として、ルーバー５６を対象にして、前記と同様に直接的かつ物理的な洗浄を付加することができる。例えば、図８に示すように、軸Ｚ周りに自転しつつ、ルーバー５６の表面に沿ってルーバー５６の長手方向に移動するブラシ９１を設けることができる。具体的には、軸Ｚ周りに回転してルーバー５６の表面を擦るためのブラシ９１と、自転状態のブラシ９１をルーバー５６の長手方向に移動可能に支持するための支持レール９２と、ブラシ９１を回転作動させかつ移動させるための駆動部９３とを備えた物理的洗浄部を設ける。なお、図８中の符号５６３は、温風吹き出し開口５２２とルーバー５６との境界部であって、その内面側を覆うように設置されたシール部材である。
【００３７】
以上の２種類の物理的洗浄部を設ける場合には、前記の各ノズル５４，５６からの洗浄用水の吐出と同期させて各駆動部８３，９３の作動制御を行うようにすることができる。
【００３８】
＜第２実施形態＞
図９は、第２実施形態の浴室乾燥機を構成する本体ユニット１０を示す。この第２実施形態は、本体ユニット１０として天井はめ込み設置型のものを用いて構成した例である。又、第２実施形態においても、本体ユニット１０内の放熱用の熱交換器１０１が洗浄対象の構成部品を構成している。本体ユニット１０に組み合わせる熱源機や用水ユニットとしては、第１実施形態で説明した熱源機６や用水ユニット７と同様構成のものを用いることができる。このため、熱源機や用水ユニットについては、必要に応じて第１実施形態のそれと同一の符号を付して詳細な説明を省略する。併せて、本体ユニット１０の構成要素についても第１実施形態の本体ユニット５と同様構成のものには第１実施形態と同一の符号を付して重複した詳細説明を省略する。
【００３９】
本体ユニット１０は、そのケーシング１０２内に放熱用の熱交換器１０１及び温風吹き出し用の送風機（循環ファン）１０３が配設されると共に、ミスト放出用のノズル５４と、熱交換器１０１を洗浄するための洗浄用のノズル５５とを備えている。熱交換器１０１は、第１実施形態のものと同様に、上側部分と下側部分とが「く」の字状に屈曲結合されている。そして、熱交換器１０１には、その入口に高温往き路６１の下流端が開閉切換弁５１１を介して接続され、出口に低温戻り路６２の上流端が接続されている。ミスト放出用のノズル５４や、洗浄用のノズル５５は、図９の奥行き方向に所定の間隔を隔てて複数個設置されている。
【００４０】
ケーシング１０２には、送風機１０３の作動により、浴室２内の内気を取り込むための内気取り入れ開口１０４が下向き面の一側位置に形成される一方、取り入れた内気を昇温させて浴室２内に温風として吹き出すための温風吹き出し開口１０５が前記下向き面の他側位置に形成されている。温風吹き出し開口１０５には、水平軸回りに回転可能に取り付けられたルーバー１０６が設けられ、このルーバー１０６は図示省略の駆動部の作動制御により首振り傾動されて温風吹き出しの向きが変更可能となっている。
【００４１】
又、ケーシング１０２には、その下向き面の全面を開閉切換可能に遮蔽するシャッター装置１１が設置されている。このシャッター装置１１は、巻取り可能なシャッター本体１１１と、シャッター本体１１１を巻取り状態で収容する収容部１１２と、シャッター本体１１１の移動をガイドするガイドレール１１３とを備えている。そして、図示省略の駆動部の作動制御により、シャッター本体１１１を収容部１１２内に巻き取られて収容された状態と、ガイドレール１１３に沿って引き出されて本体ユニット１０の下向き面の全面を覆って閉止した状態とに相互に変換可能となっている。前記の収容部１１２は下向きに突出する凹部として形成され、この収容部１１２に向けてガイドレール１１３が僅かに下り勾配になるように設けられている。これにより、ケーシング１０２内で熱交換器１０１の洗浄が行われた際の汚水（洗浄排水）が閉止状態のシャッター本体１１１に導かれて収容部１１２に集水されるようになっている。この収容部１１２によりドレン受け部が構成されている。そして、収容部１１２の底面に排水接続口１１４が形成され、この排水接続口１１４に対し排水ホース５８が接続可能となっている。このシャッター装置１１によって、閉止機構部が構成されている。
【００４２】
洗浄運転は、ユーザーに対し排水ホース５８の接続を第１実施形態と同様の案内報知により促し、前提処理として、シャッター本体１１１で本体ユニット１０の下向き面を覆って閉状態にし、各ノズル５４の回転位置を洗浄状態に変換させた上で行われる。そして、第１実施形態の場合と同様にして、図示省略の熱源機からの高温水により熱交換加熱した温水を下側の各ノズル５４と、上側の各ノズル５５とに洗浄用水として供給し、各ノズル５４，５５から熱交換器１０１に向けて吐出させる。この吐出により、熱交換器１０１のフィン間の隙間や表面等が洗浄され、洗浄後の汚水（洗浄排水）がシャッター本体１１１の上面を流れて収容部１１２に集水される。この収容部１１２に集水された汚水は、排水ホース５８を通して浴室２の洗い場の排水口又は浴槽３の排水口に排水されることになる。
【００４３】
この本体ユニット１０の場合も、第１実施形態で説明したと同様に洗剤混入の洗浄用水を用いた洗浄を実施したり、熱交換器１０１に対し第１実施形態で説明したと同様の物理的洗浄部を設けて、洗浄用水の吐出と同期させてブラシ等による洗浄を実施したり、することができる。
【００４４】
＜他の実施形態＞
なお、本発明は以上の記載のみならず、その他種々のものを包含するものである。すなわち、上記各実施形態において、本体ユニット５，１０と、用水ユニット７とを、一体に組み合わせて一体型に構成することができるし、あるいは、互いに独立設置にして分離型に構成することができる。又、前記実施形態では、洗浄用水（すすぎ用水を含む）として温水を用いる例を示したが、これに限らず、常温の水道水をそのまま用いるようにすることができる。この場合は、液−液熱交換器７１での熱交換加熱は不要となる。
【００４５】
各ノズル５４，５５として、例えばノズル径を可変にする可変機構を設け、この可変機構によりノズル径を可変することで洗浄用水を噴霧、吹き付け、あるいは、噴射というように吐出形態を変更させるようにすることができる。又、液−液熱交換器７１に供給する高温水の温度又は流量の調整により洗浄用水を高温化させ、各ノズル５４，５５から高温スチームとして噴射させるようにすることができる。
【００４６】
ミスト用ノズル５４として、ミスト放出状態と洗浄状態とに回転位置を変換可能な構成を示したが、これに限らず、ミスト用の専用ノズルと、洗浄用の専用ノズルとを設けるようにすることができる。この場合には、ミスト用の専用ノズルを、ケーシング５２，１０２の温風吹き出し開口５２２，１０５の外側に配置することができる。又、ルーバー５６，１０６を洗浄対象の構成部品とする洗浄用のノズルを設けるようにすることができる。例えば、ミスト用のノズル５４をミスト放出のための回転位置と、ルーバー５６，１０６に向けて洗浄用水を放出可能な回転位置とに変換可能に設けることができる。さらに、ミスト用のノズルの設置を省略し、洗浄用のノズル５５のみを設置するようにすることができる。すなわち、温風吹き出しを可能とする構成（熱交換器５１，１０１と送風機５３，１０３）に洗浄用ノズル５５を組み合わせて、浴室乾燥機を構成することができる。
【００４７】
排水接続口５２４，１１４に対し、開閉切換弁（例えばシャッター弁）を介装し、ドレン受け部５２３又は収容部１１２内に汚水（洗浄配水）を貯留可能とすることができる。そして、配水ホース５８を接続した上で、前記開閉切換弁を開操作することで、汚水を配水し得るようにすればよい。又、特に第２実施形態の本体ユニット１０の場合、シャッター装置１１を設ける代わりに、本体ユニット１０の下向き面を覆い得るトレー状のドレン受け補助具をユーザー等自身が本体ユニット１０の下側に設置することで、汚水の浴室２への落下等を防止して汚水の排水を可能とすることができる。
【符号の説明】
【００４８】
２              浴室
７              用水ユニット（洗浄用水供給回路）
１１            シャッター装置（閉止機構部）
５１，１０１    熱交換器（構成部品）
５４            ミスト用のノズル（洗浄ノズル）
５５            洗浄用のノズル（洗浄ノズル）
５６            ルーバー（構成部品，閉止機構部）
５７            駆動部（閉止機構部）
７４            洗剤混入部
１０６          ルーバー（構成部品）
１１２          収容部（ドレン受け部）
１１４，５２４  排水接続口
５２２          温風吹き出し開口
５２３          ドレン受け部
５４１          ノズル配管（変換機構部）
５４２          支持ブラケット（変換機構部）
５４３          駆動部（変換機構部）
【図１】
2017211124.tif 000003
【図２】
2017211124.tif 000004
【図３】
2017211124.tif 000005
【図４】
2017211124.tif 000006
【図５】
2017211124.tif 000007
【図６】
2017211124.tif 000008
【図７】
2017211124.tif 000009
【図８】
2017211124.tif 000010
【図９】
2017211124.tif 000011